(57)【要約】      （修正有）【課題】従来の長方形の試験用紙がその形状ゆえに持っていた用紙の角が曲がりやすく、その曲りのため破損もし易いという難点、並びに例えば２つの言語で同じ内容の問題の試験用紙を作る場合には、使用言語ごとの問題文を夫々の用紙に記載した２種類の試験用紙を用意しなければならないという煩わしさを回避できる試験用紙を提供する。【解決手段】試験用紙の構成は、非矩形の用紙１の表面２Ａに、一の言語によって表現された問題文を記載した少なくとも第一の問題欄Ｑｃ１を設けると共に、この用紙の裏面に、前記問題文と同一内容の他の言語によって表現された問題文を記載する少なくとも第二の問題欄を設けたことを特徴とする。【選択図】図１
2019130841.tif 000002
【特許請求の範囲】
【請求項１】
非矩形の一枚の用紙の表面に、一の言語によって表現された問題文を記載した少なくとも第一の問題欄を設けると共に、この用紙の裏面に、前記問題文と同一内容の他の言語によって表現された問題文を記載する少なくとも第二の問題欄を設けたことを特徴とする試験用紙。
【請求項２】
非矩形の一枚の用紙は、曲りやすい角部を持たない円形，長円形，楕円形のいずれかの平面形状である請求項１の試験用紙。
【請求項３】
非矩形の一枚の用紙は、五角形以上の多角形である請求項１の試験用紙。
【請求項４】
非矩形の一枚の用紙の表面と裏面には、第一の問題欄と第二の問題欄の夫々に対応して解答欄を設けた請求項２又は３の試験用紙。
【請求項５】
試験用紙は、少なくとも上部に綴じ穴を設けた請求項１〜４のいずれかの試験用紙。
【発明の詳細な説明】
【技術分野】
【０００１】
本発明は問題欄と解答欄を備える試験用紙に関する。
【背景技術】
【０００２】
従来の試験用紙は、長方形の用紙に問題文を記載した問題文の用紙と、前記問題文の用紙と同形、同大の解答記載用の解答用紙を分けた試験用紙が一般的であり、問題の記載欄と解答の記載欄とを同一用紙に形成したものもある。
【０００３】
従来の試験用紙は、すべて長方形の用紙が用いられている。しかし、長方形の用紙は、その形状ゆえに用紙の角部（用紙の耳）に曲り癖が付き易いため、鞄等に出し入れし乍ら持ち歩いていると用紙の角が曲ってしまったり、破損したりするという難点がある。
【０００４】
一方、昨今の大学等では外国人留学生（以下、単に留学生という）が増加していることを反映し、入学試験等において外国人の受験者が増えている。留学生向けの試験では、英語等の日本語以外の言語で作成した問題文を試験用紙に記載しなければならない。従って、一例として日本人と留学生の受験者がいる場合には、同じ内容の試験問題について日本語の問題文を記載した試験用紙と、外国語による問題文を記載した試験用紙とをダブって用意する必要があった。
【０００５】
ところで、従来の試験用紙に関して、その用紙の形状からくる用紙の角の曲がりやその曲りによる破損に対処できるアイデア、或は使用言語が異なる受験者がいる場合における試験用紙の形態について工夫されたアイデアは、試験用紙に係る発明が記載された特許文献１〜４にも見当たらない。
【先行技術文献】
【特許文献】
【０００６】
【特許文献１】特許第３１２８３７０号公報
【特許文献２】特開２００８−８０７１６号公報
【特許文献３】特開平７−１８８７０２号公報
【特許文献４】特開平５−６３５０７号公報
【発明の概要】
【発明が解決しようとする課題】
【０００７】
本発明は、従来の長方形の試験用紙がその形状ゆえに持っていた用紙の角が曲がりやすく、その曲りのため破損もし易いという難点、並びに例えば２つの言語で同じ内容の問題の試験用紙を作る場合には、使用言語ごとの問題文を夫々の用紙に記載した２種類の試験用紙を用意しなければならないという煩わしさを回避できる試験用紙を提供することを、課題とする。
【課題を解決するための手段】
【０００８】
上記課題を解決するためになされた本発明試験用紙の構成は、非矩形の用紙の表面に、一の言語によって表現された問題文を記載した少なくとも第一の問題欄を設けると共に、この用紙の裏面に、前記問題文と同一内容の他の言語によって表現された問題文を記載する少なくとも第二の問題欄を設けたことを特徴とする。
【０００９】
一枚の試験用紙を、表面を一の言語、例えば日本文による問題欄とし、裏面を他の言語、例えば英語文による問題欄とするので、一枚の試験用紙の表面と裏面とを２つの言語による２種類の試験用紙として利用することができる。
【００１０】
本発明において、非矩形の用紙は、曲りやすい角部を持たない円形，長円形，楕円形のいずれかの平面形状が好ましく、角部を有している場合でも、前記円形に近い例えば五角形以上の多角形であれば、前記課題の一つを解決することができる。前記多角形の用紙の角部にはアール（曲面処理）を付けてもよい。前記用紙としては、一例として硬さのある上質紙（厚さ０．１ｍｍ〜０．２ｍｍ）や厚紙（例えば、厚さ０．１４ｍｍ〜０．３ｍｍ）が取り扱い易さの面で好ましいが、このことは普通紙（厚さ０．１ｍｍ未満）を排除する趣旨ではない。
【００１１】
前記用紙の表面と裏面には、第一の問題欄と第二の問題欄の他に、第一の問題欄と第二の問題欄の夫々の問題文に対する夫々の解答欄を設けることができる。また、前記用紙の上部には、複数枚の本発明試験用紙を綴じるための綴じ穴を設けることもある。綴じ穴は、多数の試験用紙を紐等で一括りにし、多数の試験用紙をまとめて保管、運搬する上での取り扱いを容易にする。
【００１２】
本発明試験用紙は、上述した問題欄と解答欄の他に、前記問題欄の上方と回答欄の下方に、試験科目名などを記載する表題欄を設けたり、大学名など試験の実施主体の名称や団体マークなどを表示する団体表示欄を設けることができる。前記表題欄や団体表示欄は、前記問題文欄と解答欄の左右の両脇に配置してもよい。
【発明の効果】
【００１３】
本発明試験用紙は、非矩形（非長方形）の用紙、例えば円形の用紙であるから長方形用紙のように角部が曲ったり、その曲りによって破れたりすることは全くない。
また、１枚の試験用紙の表面と裏面に、異なる言語で同一内容の問題を記載しているから、従来は言語ごとに作成された試験用紙を１枚の用紙で２つの言語分の試験用紙として使用でき、従って使用する用紙を半減することができる。
【図面の簡単な説明】
【００１４】
【図１】本発明試験用紙の一例の表面側の平面図。
【図２】図１の試験用紙の裏面側の平面図。
【発明を実施するための形態】
【００１５】
次に、本発明試験用紙の実施の形態例について、図を参照して説明する。
【００１６】
図１と図２において、１は、厚紙（一例として厚さ０．２６ｍｍ〜０．３ｍｍの上質紙やアート紙）により、ここでは直径２１０ｍｍの略正円形に形成した一枚の用紙である。図１に示す用紙１の表側には、表面２Ａのほぼ上半部に、図示した例では日本語による問題文２１ａとこの問題文２１ａに関連する図、イラスト、写真等の付属図２２ａが記載されて第一の問題欄Ｑｃ１が形成されている。前記第一の問題欄Ｑｃ１の下方には、解答を記載する第一の解答欄Ａｃ１が形成されている。
【００１７】
図２に示す前記用紙１の裏面２Ｂには，前記表面２Ａの第一の問題欄Ｑｃ１に記載された日本語の問題文２１ａを英語で表現した問題文２１ｂが第二の問題欄Ｑｃ２に記載されている。第二の問題欄の問題文２１ｂに関連する第二の付属図２２ｂは前記第一の付属図２２ａと同じものが記載される。裏面２Ｂの第二の解答欄Ａｃ２は，表面２Ａの第一の解答欄Ａｃ１と同じ表現形式である。
【００１８】
裏面２Ｂにおける第二の問題文２１ｂと付属図２２ｂのレイアウトは、前記表面２Ａにおける第一の問題文２１ａ及び付属図２２ａと同じレイアウトである。なお、前記において第一の付属図２２ａに日本語が使用されている場合には、第二の付属図２２ｂではその部分（日本語）が英語に翻訳されて表示される。また、上記において、第一と第二の問題欄Ｑｃ１，Ｑｃ２及び第一と第二の解答欄Ａｃ１，Ａｃ２は，横書きとしたが、縦書きであってもよい。さらに上記例で使用した言語は日本語と英語であったが、これ以外の２つの言語の使用であってもよい。
【００１９】
前記一枚の用紙１の表面２Ａと裏面２Ｂにおいて，第一と第二の問題欄Ｑｃ１とＱｃ２の上方には、試験科目名などを表示する表題欄Ｔｃを設け，第一と第二の解答欄Ａｃ１とＡｃ２の下方には、試験実施団体の名称などを表示する団体表示欄Ｓｐを設けている。なお、Ｃｃは受験者の氏名、受験日等の属性等を記載する属性欄である。
【００２０】
前記表題欄Ｔｃと団体表示欄Ｓｐの使用言語は、一例として前記問題欄Ｑｃ１とＱｃ２の使用言語に対応させ表面２Ａは日本語で表示し、裏面２Ｂは英語で表示しているが、この欄の表示言語は上記例に限定されず、任意である。
なお、前記第一と第二の問題欄Ｑｃ１とＱｃ２の上方に設ける表題欄Ｔｃの欄名称、及び第一と第二解答欄Ａｃ１とＡｃ２の下方に設ける試験主催者などの団体表示欄Ｓｐの欄名称は、上記例以外の任意の欄名称を用いることができる。また前記表題欄Ｔｃと団体表示欄Ｓｐは，前記問題欄Ｑｃ１，Ｑｃ２の左右の脇に配置することもできる。
【００２１】
本発明では、一枚の用紙１の表面２Ａと裏面２Ｂに第一と第二の問題欄Ｑｃ１，Ｑｃ２，及び第一と第二の解答欄Ａｃ１，Ａｃ２などを配置して本発明試験用紙ＴＰの一例を形成する。前記試験用紙ＴＰは、前記表題欄Ｔｃの上部に、綴じ穴３を設けている。綴じ穴３は、本発明試験用紙ＴＰの複数枚をまとめて管理等するために紐を通したり、ピンを通したりするための穴として利用する。図示した綴じ穴３は１個であるが、２個乃至複数の穴を並べて設けたり、用紙１の外周上に少なくとも2箇所設けることもある。
【００２２】
本発明は以上の通りであって、非矩形の好ましくは円形の一枚の用紙の表面に、一の言語によって表現された問題文を記載した少なくとも第一の問題欄を設けると共に、この用紙の裏面に、前記問題文と同一内容の他の言語によって表現された問題文を記載する少なくとも第二の問題欄を設けて本発明試験用紙としたから、長方形用紙のように角部が、曲ったり曲って破れたりすることがない。
【００２３】
また、一枚の試験用紙の表面と裏面に、異なる言語で同一内容の問題を記載しているから、従来は言語ごとに作成された試験用紙を１枚の用紙で２つの言語分の試験用紙として使用でき、従って使用する用紙を半減することができる。
【符号の説明】
【００２４】
ＴＰ  本発明試験用紙
１  用紙
２Ａ  用紙１の表面
２Ｂ  用紙１の裏面
３  綴じ穴
Ｑｃ１，Ｑｃ2  第一と第二問題欄
Ａｃ１，Ａｃ２  第一と第二の解答欄
Ｔｃ  表題欄
Ｓｐ  団体表示欄
Ｃｃ  受験者の属性記載欄
【図１】
2019130841.tif 000003
【図２】
2019130841.tif 000004
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
円形，長円形，楕円形のいずれかの平面形状の一枚の試験用紙の表面に、一の言語によって表現された問題文を記載した少なくとも第一の問題欄と解答欄を設けると共に、この試験用紙の裏面に、前記問題文と同一内容の他の言語によって表現された問題文を記載する少なくとも第二の問題欄と解答欄を設けたことを特徴とする試験用紙。
【請求項２】
一枚の試験用紙は、五角形以上の多角形である請求項１の試験用紙。
【請求項３】
試験用紙は、少なくとも上部に綴じ穴を設けた請求項１又は２の試験用紙。
【手続補正２】
【補正対象書類名】明細書
【補正対象項目名】０００６
【補正方法】変更
【補正の内容】
【０００６】
【特許文献１】特許第３１２８３７０号公報
【特許文献２】特開２００８−８０７１６号公報
【特許文献３】実開平７−１８８７２号公報
【特許文献４】実開平５−６３５０７号公報
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
円形，長円形，楕円形のいずれかの平面形状の一枚の試験用紙の表面が、一の言語によって表現された問題文を記載した第一の問題欄と解答欄を備え、この試験用紙の裏面が、前記問題文と同一内容の他の言語によって表現された問題文を記載する第二の問題欄と解答欄を備えることを特徴とする試験用紙。
【請求項２】
一枚の試験用紙は、請求項１の平面形状に代えて五角形以上の多角形にする請求項１の試験用紙。
【請求項３】
試験用紙は、少なくとも上部に綴じ穴を設けた請求項１又は２の試験用紙。